(57)【特許請求の範囲】
【請求項１】
第１凹部を有し、化粧用塗布材を収容する塗布材収容部を前記第１凹部内に着脱可能に収納する収納部と、
前記収納部の前記第１凹部の開口部を被覆する被覆部と、
前記収納部に設けられ、ベルトを取り付け可能な第１被取付部と、
を備え、
前記第１被取付部は、前記ベルトを通すことができる２つの第２孔部により構成され、
前記収納部の前記第１凹部内には、前記収納部に挿入される前記ベルトを案内する案内板が設けられている、
アクセサリー玩具。
【請求項２】
請求項１に記載のアクセサリー玩具において、
前記収納部の前記第１凹部内に収納された前記塗布材収容部を有する、アクセサリー玩具。
【請求項３】
請求項１または２に記載のアクセサリー玩具において、
前記収納部または前記被覆部は、身体装着部となる鎖、紐および帯の少なくともいずれか一つを取り付け可能な第２被取付部を有し、
前記第２被取付部は、前記身体装着部を通す第１孔部により構成されている、アクセサリー玩具。
【請求項４】
請求項１〜３のいずれか１項に記載のアクセサリー玩具において、
前記塗布材収容部は、前記塗布材収容部を前記収納部に装着した際に前記案内板に当接する当接部を備えている、アクセサリー玩具。
【請求項５】
請求項４に記載のアクセサリー玩具において、
前記収納部は、前記第１凹部内に設けられた係止部を有し、
第１方向において前記塗布材収容部を前記収納部側に押し込み、前記塗布材収容部に設けられた被係止部と、前記係止部とを互いに嵌合させることで、前記塗布材収容部が前記収納部に装着され、
前記塗布材収容部を前記収納部に装着した際、前記第１方向における前記被係止部の前記係止部側の終端部は、前記当接部と前記案内板側との当接面に位置するか、または、前記当接面よりも前記塗布材収容部側に位置する、アクセサリー玩具。
【請求項６】
請求項１〜４のいずれか１項に記載のアクセサリー玩具において、
前記収納部は、前記第１凹部内に設けられた係止部を有し、
前記塗布材収容部に設けられた被係止部と、前記係止部とが互いに嵌合することで、前記塗布材収容部が前記収納部に装着される、アクセサリー玩具。
【請求項７】
請求項１〜６のいずれか１項に記載のアクセサリー玩具において、
前記塗布材収容部は、その周縁部に凸部を有し、
前記収納部は、前記第１凹部の前記開口部の周囲に、前記収納部に前記塗布材収容部が装着された状態で前記凸部に対応する位置に第２凹部を有している、アクセサリー玩具。
【請求項８】
請求項１〜７のいずれか１項に記載のアクセサリー玩具において、
前記塗布材収容部には、前記塗布材収容部を前記収納部に収納した状態で視認可能な位置に、前記化粧用塗布材を塗布する身体の位置を示す表示が設けられている、アクセサリー玩具。
【請求項９】
請求項１〜８のいずれか１項に記載のアクセサリー玩具において、
前記ベルトは、可撓性を有する軟質材料から成り、
前記ベルトを前記塗布材収容部内で前記塗布材収容部に当接する方向に撓ませることで、前記塗布材収容部の前記収納部への係止状態を解除可能である、アクセサリー玩具。
【請求項１０】
請求項３に記載のアクセサリー玩具において、
前記塗布材収容部の外側に設けられ、前記第１孔部を備えた前記第２被取付部は、前記被覆部が前記収納部に対して軸回転するときの回転を規制する、アクセサリー玩具。
【請求項１１】
アクセサリー玩具に着脱可能であって、化粧用塗布材を収容する第１凹部を一方の第１面に備えた塗布材収容体であって、
前記第１面の反対側の第２面には、
前記アクセサリー玩具に設けられた係止部に対し嵌合する被係止部と、
前記塗布材収容体の前記第２面から突出し、互いに離間する一対の板と、
が設けられ、
前記一対の板のそれぞれは、前記塗布材収容体の前記第１面と前記第２面との間の厚さ方向に対して垂直な方向に延在し前記アクセサリー玩具の一部に当接することで、前記係止部と前記被係止部との嵌合の深さを所定位置で規制可能であり、
前記被係止部の終端部は、前記一対の板のそれぞれの端部と同じ位置であるか、または、前記一対の板のそれぞれの前記端部よりも前記第２面側に位置する、塗布材収容体。
【請求項１２】
請求項１１に記載の塗布材収容体において、
前記塗布材収容体は、その周縁部に凸部を有し、
前記凸部は、前記アクセサリー玩具に前記塗布材収容体が装着された状態で、前記アクセサリー玩具に設けられた第２凸部に対応する位置に配置されている、塗布材収容体。
【請求項１３】
請求項１１または１２に記載の塗布材収容体において、
前記塗布材収容体を前記アクセサリー玩具に装着した状態で視認可能な位置に、前記化粧用塗布材を塗布する身体の位置を示す表示が設けられている、塗布材収容体。
【請求項１４】
請求項１１〜１３のいずれか１項に記載の塗布材収容体において、
前記被係止部は、前記第２面に一対設けられ、
一対の前記被係止部は、前記第２面に沿う方向において前記一対の板を挟むように配置されている、塗布材収容体。
【発明の詳細な説明】
【技術分野】
【０００１】
本発明は、アクセサリー玩具に関する。
【背景技術】
【０００２】
従来、装飾体を固定部材に固定し、これを鎖などを用いて身体に装着してアクセサリーとしても用いる玩具が知られている（例えば、特許文献１参照）。
【先行技術文献】
【特許文献】
【０００３】
【特許文献１】実開昭６０−８９０００号公報
【発明の概要】
【発明が解決しようとする課題】
【０００４】
特許文献１では、花や蝶などの形状を有する装飾体を交換可能なアクセサリー玩具が記載されているが、アクセサリー玩具に対して着脱可能な物品として化粧品（コスメ）は記載されていない。例えばリップクリームなどの化粧用塗布材が収容された容器をアクセサリー玩具の支持部材に固定させることが考えられるが、それだけでは、化粧用塗布材が乾燥または劣化し、使用する際に問題が生じる虞がある。
【０００５】
その他の課題と新規な特徴は、本明細書の記述および添付図面から明らかになる。
【課題を解決するための手段】
【０００６】
本願において開示される実施の形態のうち、代表的なものの概要を簡単に説明すれば、次のとおりである。
【０００７】
一実施の形態におけるアクセサリー玩具は、第１凹部を有し、化粧用塗布材を収容する塗布材収容部を前記第１凹部内に着脱可能に収納する収納部と、前記収納部の前記第１凹部の開口部を被覆する被覆部と、を備え、前記収納部または前記被覆部は、人間の身体に装着する身体装着部を取り付け可能な被取付部を有するものである。また、一実施の形態における塗布材収容体は、アクセサリー玩具に着脱可能であって、化粧用塗布材を収容する第１凹部を一方の第１面に備え、前記第１面の反対側の第２面には、前記アクセサリー玩具に設けられた係止部に対し嵌合する被係止部と、前記塗布材収容体の前記第２面から突出し、互いに離間する一対の板と、が設けられ、前記一対の板のそれぞれは、前記塗布材収容体の前記第１面と前記第２面との間の厚さ方向に対して垂直な方向に延在し前記アクセサリー玩具の一部に当接することで、前記係止部と前記被係止部との嵌合の深さを所定位置で規制可能であり、前記被係止部の終端部は、前記一対の板のそれぞれの端部と同じ位置であるか、または、前記一対の板のそれぞれの前記端部よりも前記第２面側に位置する。また、一実施の形態におけるアクセサリー玩具は、第１凹部を有し、化粧用塗布材を収容する塗布材収容部を前記第１凹部内に着脱可能に収納する収納部と、前記収納部の前記第１凹部の開口部を被覆する被覆部と、前記収納部に設けられ、ベルトを取り付け可能な第１被取付部と、を備え、前記第１被取付部は、前記ベルトを通すことができる２つの第２孔部により構成され、前記収納部の前記第１凹部内には、前記収納部に挿入される前記ベルトを案内する案内板が設けられている。

【発明の効果】
【０００８】
一実施の形態によれば、化粧用塗布材の乾燥および劣化を防止または抑制可能に収納するアクセサリー玩具を提供することができる。
【図面の簡単な説明】
【０００９】
【図１】実施の形態におけるアクセサリー玩具を示す斜視図である。
【図２】実施の形態におけるアクセサリー玩具と、アクセサリー玩具から取り外した塗布材収容部とを示す斜視図である。
【図３】実施の形態における塗布材収容部を示す側面図である。
【図４】実施の形態における塗布材収容部を示す斜視図である。
【図５】実施の形態におけるアクセサリー玩具を示す斜視図である。
【図６】実施の形態におけるアクセサリー玩具を示す側面図である。
【図７】実施の形態におけるアクセサリー玩具を示す側面図である。
【図８】実施の形態におけるアクセサリー玩具にベルトを取り付けた態様を示す斜視図である。
【図９】実施の形態におけるアクセサリー玩具にベルトを取り付けた態様を示す斜視図である。
【図１０】実施の形態におけるアクセサリー玩具を示す断面図である。
【図１１】実施の形態におけるアクセサリー玩具およびベルトを示す断面図である。
【図１２】実施の形態の変形例１におけるアクセサリー玩具を示す斜視図である。
【図１３】実施の形態の変形例１におけるアクセサリー玩具を示す斜視図である。
【図１４】実施の形態の変形例２におけるアクセサリー玩具を示す斜視図である。
【発明を実施するための形態】
【００１０】
以下、本発明の実施の形態を図面に基づいて詳細に説明する。なお、実施の形態を説明するための全図において、同一の機能を有する部材には同一の符号を付し、その繰り返しの説明は省略する。また、以下の実施の形態では、特に必要なときを除き、同一または同様な部分の説明を原則として繰り返さない。
【００１１】
また、本願において説明されるＸ方向、Ｙ方向およびＺ方向は互いに直交している。本願では説明を簡単にするために、Ｚ方向をある構造体の上下方向、高さ方向または厚さ方向として説明する場合もある。
【００１２】
また、Ｘ方向およびＹ方向から成る面は平面を成し、Ｚ方向に垂直な平面である。本願において「平面視」と表現した場合、それは、Ｚ方向からＸ方向およびＹ方向から成る面を見ることを意味し、Ｚ方向と直交する面を見ることを意味する。
【００１３】
（実施の形態）
本実施の形態のアクセサリー玩具は、人体に塗布する化粧用塗布材を収容する塗布材収容部を着脱可能に収納する収納部および被覆部を備えた装飾品（アミュレット）である。ここでは、収納部に身体装着部であるベルトを通すことで、ブレスレットのように手首に装着可能なアクセサリー玩具について説明する。
【００１４】
＜アクセサリー玩具の構成＞
以下に図１〜図１１を用いて、実施の形態におけるアクセサリー玩具１について説明する。図１に示すように、アクセサリー玩具１は、お椀型の容器であり、上側の主面に凹部１１を有する収納部３と、凹部１１の開口部を被覆するよう開閉可能に収納部３に取り付けられた被覆部（蓋）２とを有している。アクセサリー玩具１は、収納部３の凹部１１内に、塗布材収容部（塗布材収容体）４を着脱可能に収納できる。なお、アクセサリー玩具１は、収納部３、被覆部２および塗布材収容部４により構成されていると考えてもよい。
【００１５】
化粧用塗布材は、例えばリップクリーム、リップグロス、アイシャドウ、練り香水、ファンデーションなど、人体に塗布して用いる化粧用材である。化粧用塗布材は、粘性の強い液体、固体または密着性の高い粉体などであって、流動性が低く飛散し難いものであり、固体形状が維持可能であるため、塗布材収容部４を傾けた程度では塗布材収容部４から離脱することはない。塗布材収容部４は上側の第１面に、平面視でハート型の形状を有する凹部１２を有しており、凹部１２内に化粧用塗布材を収容可能である。図１では化粧用塗布材を示していないが、例えば図１０の断面図に示すように、化粧用塗布材３０は塗布材収容部４の凹部１２内に収容できる。
【００１６】
塗布材収容部（リフィル、ポーション）４はアクセサリー玩具１の用途などに応じて他の塗布材収容部に交換可能である。図２に、塗布材収容部４を取り除いた収納部３と、底面を上に向けた塗布材収容部４とを示す。収納部３の凹部１１の底面には、上方（Ｚ方向における主面側）に突出する棒状の凸部である係止部２１がＸ方向に並んで２つ配置されている。また、塗布材収容部４の底面には、下方（図２では塗布材収容部４が裏返っているため、上方）に突出する筒状の凸部である被係止部４１がＸ方向に並んで配置されている。一対の係止部２１と一対の被係止部４１とは互いに対応する位置に設けられており、塗布材収容部４をＺ方向において収納部３の凹部１１内、つまり収納部３側に押し込むと、係止部２１と被係止部４１と互いに嵌合する。これにより、収納部３の凹部１１内に塗布材収容部４を装着（固定）することができる。
【００１７】
塗布材収容部４の周縁部４３のＸ方向における両端には、Ｘ方向において外側に突出する凸部４２が設けられている。収納部３には、収納部３の凹部１１内に塗布材収容部４を装着した状態で凸部４２に対応する位置に、凹部２２が形成されている。凹部２２は、収納部３の凹部１１の開口部の上面において、Ｘ方向の両端のそれぞれに形成されている。図１に示すように、収納部３の凹部１１内に塗布材収容部４を装着した状態で、凸部４２は凹部２２内に収まる。
【００１８】
一対の凸部４２が並ぶ方向と、一対の被係止部４１が並ぶ方向とは、同じ方向（Ｘ方向）である。また、一対の凹部２２が並ぶ方向と、一対の係止部２１が並ぶ方向とは、同じ方向（Ｘ方向）である。また、収納部３の凹部１１内に塗布材収容部４を装着する際に、アクセサリー玩具１の使用者は、係止部２１および被係止部４１が視認できなくても、凸部４２と凹部２２は視認可能である。よって、アクセサリー玩具１の使用者は、収納部３に対する塗布材収容部４の装着位置（装着する向き）を把握できる。
【００１９】
収納部３の凹部１１内から塗布材収容部４を取り出す際には、凸部４２に指または爪などを引っ掛け、凸部４２を凹部１１の底面側から収納部３の主面側に向かう方向に力を加えることで、係止部２１が被係止部４１から離脱することで、塗布材収容部４を収納部３から取り外すことができる。このため、凸部４２は、収納部３の凹部１１内に塗布材収容部４を装着した状態で、凹部２２よりもＸ方向において外側に突出しているか、凸部４２と凹部２２との間に隙間を設ける必要がある。ここでは、凸部４２と凹部２２との間に隙間を設けるため、Ｚ方向における凹部２２深さよりもＺ方向における凸部４２の厚さを小さくしている。
【００２０】
また、図３に、塗布材収容部４をＹ方向から見た側面図を示す。また、図４に、塗布材収容部４の斜視図を示す。図２、図３および図４に示すように、塗布材収容部４の平面視における周縁部４３は、Ｚ方向に沿う環状の面を備えている。塗布材収容部４の第１面と、凸部４２の上面と、周縁部４３の上端とは、Ｚ方向に対して垂直な同一面内に存在する。ここで、Ｚ方向における凸部４２の厚さＹ１は、Ｚ方向における周縁部４３の厚さＹ２よりも小さい。後述するように、周縁部４３は収納部３の凹部１１の表面に当接して化粧用塗布材の乾燥を防ぐ役割を有しており、凸部４２の厚さＹ１が周縁部４３の厚さＹ２よりも小さいことで、乾燥を防ぐ当該役割を果たしつつ、凸部４２と凹部２２との間に隙間を設けることができる。本実施の形態では、凸部４２と凹部２２との間に隙間を設けているため、凸部４２を、収納部３の凹部１１内に塗布材収容部４を装着した状態で、凹部２２よりもＸ方向において外側に過度に突出させる必要がない。したがって、被覆部２より塗布材収容部４を被覆することが容易である。
【００２１】
次に、図１および図５〜図７を用いて、被覆部２について説明する。被覆部２は、凹部１１の外において収納部３に対し軸回転可能に取り付けられている。図１および図７には、被覆部２を開いた状態を示し、図５および図６には、被覆部２を閉じて凹部１１の開口部および塗布材収容部４の第１面を被覆した状態を示している。なお、図７には塗布材収容部４を示していない。
【００２２】
被覆部２の収納部３に対する回転軸は、Ｘ方向に沿うものである。図５および図７に示すように、収納部３は、Ｙ方向において、当該回転軸よりも外側に第１被取付部１６を備えている。第１被取付部１６は、Ｘ方向において貫通する孔部１７を備えた環状の形状を有している。図７に示すように、被覆部２が収納部３に対して軸回転したときには、被覆部２が第１被取付部１６に当接することで、被覆部２の回転が止まる。すなわち、第１被取付部１６は、被覆部２が収納部３に対して軸回転したときの回転を規制する。これにより、被覆部２が過度に回転することを防げる。
【００２３】
次に、収納部３にベルトを挿入し、アクセサリー玩具１を、例えばブレスレットのように手首に装着する場合について説明する。図２および図６に示すように、収納部３は、第２被取付部である一対の孔部１５を備えている。一対の孔部１５は、Ｙ方向に並んで収納部３の両側の側面に設けられている。孔部１５は、凹部１１内の表面と収納部３の側面との間を貫通している。すなわち、一対の孔部１５は、凹部１１を挟むように設けられている。
【００２４】
図８に示すように、孔部１５には、例えば人の手首に巻くベルトＢ１を通すことができる。なお、図８には、塗布材収容部４を示していない。ベルトＢ１は、アクセサリー玩具１を身体に装着するための身体装着部である。一対の孔部１５のそれぞれに通されたベルトＢ１の両端は、収納部３の外において例えば留め具により相互に係止することができる。このようにして、図９に示すようにアクセサリー玩具１およびベルトＢ１を、例えばブレスレットのように身体に装着することができる。
【００２５】
凹部１１を含む収納部３を貫通する一対の孔部１５を設けるのではなく、収納部３の容器の外側に突出する取付部を設け、当該取付部が有する孔部にベルトＢ１を通すことが考えらえる。しかし、その場合、収納部３の全体の厚さが大きくなり、収納部３のアクセサセリーとしての美観が低下する。本実施の形態では、ベルトＢ１を通す孔部１５を、収納部３の側面に設けているため、収納部３の外部に上記取付部を設ける場合よりも収納部３を薄くすることができる。よって、アクセサリー玩具１の全体を小さくすることができ、例えば子供であっても、アクセサリー玩具１を身に着け易くなる。
【００２６】
ベルトＢ１は可撓性を有する軟質材料から成る。このため、ベルトＢ１を一方の孔部１５から挿入し、係止部２１が設けられた収納部３内を通して他方の孔部１５から出すことが難しい場合が考えられる。塗布材収容部４を凹部１１内に収納した状態でこのような作業を行う場合は、収納部３内のベルトＢ１を視認できないため、ベルトＢ１を通すことがより困難となる。
【００２７】
そこで、収納部３の凹部１１内には、収納部３に挿入されるベルトＢ１を案内する一対の案内板Ｇ１、Ｇ２が設けられている。一対の案内板Ｇ１、Ｇ２は、Ｙ方向において並ぶ一対の孔部１５の相互間の領域を挟むように、Ｘ方向に並んで配置されている。また、案内板Ｇ１、Ｇ２のそれぞれはＹ方向に延在しており、凹部１１の底面から上方（Ｚ方向における主面側の方向）に突出している。案内板Ｇ１、Ｇ２のそれぞれの上端は、Ｘ方向およびＹ方向に沿う面内でＹ方向に延在している。また、案内板Ｇ１、Ｇ２のそれぞれの上端は、Ｚ方向において同じ高さに位置する。
【００２８】
係止部２１は、凹部１１の底面に沿う方向、つまりＸ方向において、一対の案内板Ｇ１、Ｇ２を挟むように配置されている。これにより、アクセサリー玩具１の使用者がベルトＢ１を収納部３に通す際には、ベルトＢ１は、一対の案内板Ｇ１、Ｇ２により案内され、係止部２１に当たることはないため、使用者は容易にベルトＢ１を一方の孔部１５から他方の孔部１５へ通すことができる。
【００２９】
図２および図３に示すように、塗布材収容部４の下面である第２面には、塗布材収容部４の下方（図２では塗布材収容部４が裏返っているため、上方）に突出する案内板であって、案内板Ｇ１、Ｇ２にそれぞれ当接する当接部Ｇ３、Ｇ４が設けられている。一対の当接部Ｇ３、Ｇ４は、収納部３の凹部１１内に塗布材収容部４を装着した状態で、Ｙ方向において並ぶ一対の孔部１５の相互間の領域を挟むように、Ｘ方向に並んで配置されている。また、当接部Ｇ３、Ｇ４のそれぞれは、当該状態においてＹ方向に延在している。当接部Ｇ３、Ｇ４のそれぞれの下端は、当該状態では、Ｘ方向およびＹ方向に沿う面内でＹ方向に延在している。また、当接部Ｇ３、Ｇ４のそれぞれの下端は、当該状態ではＺ方向において同じ高さに位置する。
【００３０】
Ｘ方向における一対の案内板Ｇ１、Ｇ２の相互間の距離Ｘ１は、Ｘ方向における一対の当接部Ｇ３、Ｇ４の相互間の距離Ｘ２は同じである。また、当接部Ｇ３、Ｇ４は、収納部３の凹部１１内に塗布材収容部４を装着した状態で、案内板Ｇ１、Ｇ２に対応する位置（平面視で重なる位置）に配置されている。すなわち、図１０に示すように、収納部３の凹部１１内に塗布材収容部４を装着したとき、当接部Ｇ３の下面は案内板Ｇ１の上面に当接し、当接部Ｇ４の下面は案内板Ｇ２の上面に当接する。
【００３１】
一対の被係止部４１は、塗布材収容部４の第２面に沿う方向であるＸ方向において、一対の当接部Ｇ３、Ｇ４を挟むように配置されている。これにより、アクセサリー玩具１の使用者がベルトＢ１を収納部３に通す際には、ベルトＢ１は、案内板Ｇ１、Ｇ２および当接部Ｇ３、Ｇ４により案内され、係止部２１または被係止部４１に当たることはないため、使用者は容易にベルトＢ１を一方の孔部１５から他方の孔部１５へ通すことができる。
【００３２】
当接部Ｇ３、Ｇ４を設けずに、収納部３内に収納された塗布材収容部４の第２面まで案内板Ｇ１、Ｇ２を延ばすことも考えられるが、塗布材収容部４の第２面の形状およびＺ方向の高さは、塗布材収容部４の凹部１２の形状によって異なることが考えられる。ここでは、収納部３の案内板Ｇ１、Ｇ２のみでなく、塗布材収容部４に当接部Ｇ３、Ｇ４を設け、当接部Ｇ３、Ｇ４を案内板Ｇ１、Ｇ２に当接させることで、ベルトＢ１の進路を確実に確保できる。
【００３３】
ここで、Ｚ方向において、被係止部４１の下方の終端部は、一対の当接部Ｇ３、Ｇ４のそれぞれの下端と同じ高さに位置するか、または、一対の当接部Ｇ３、Ｇ４のそれぞれの下端よりも上方、つまり第１面側に位置する。また、Ｚ方向において、係止部２１の上端は、案内板Ｇ１、Ｇ２のそれぞれの上端よりも主面側（凹部１１の開口部側）に突出している。このため、案内板Ｇ１、Ｇ２よりも上に突出する係止部２１が、被係止部４１に嵌合する。
【００３４】
ここでは、収納部３側に設けられた棒状の係止部２１が、塗布材収容部４に設けられた筒状の被係止部４１の孔部に挿し込まれ、これにより収納部３に塗布材収容部４を装着することについて説明したが、逆に、塗布材収容部４に設けられた被係止部４１が棒状であり、収納部３側に設けられた係止部２１が筒状であってもよい。ただし、挿入される側である筒状の被係止部４１は棒状の係止部２１よりも幅が大きくなるため、主面よりも、主面の反対側の底面が小さくなるすり鉢状の収納部３においては、係止部２１を棒状に形成した方が凹部１１の底面側のスペースを圧迫しない。また、収納部３内にはベルトＢ１を通すスペースが必要であるため、すり鉢状の収納部３においては、係止部２１を棒状に形成することが好ましい。
【００３５】
また、塗布材収容部４が収納部３内に深く嵌ると、塗布材収容部４が収納部３に強く固定され、塗布材収容部４を収納部３から取り外し難くなる。また、塗布材収容部４が収納部３内に深く嵌ると、塗布材収容部４の周縁部４３から収納部３に強い力が加わり、塗布材収容部４または収納部３が湾曲または破損する虞がある。ここでは、案内板Ｇ１、Ｇ２に当接部Ｇ３、Ｇ４が当接することで、塗布材収容部４が収納部３内に深く嵌り過ぎないようにすることができる。
【００３６】
図１に示すように、被覆部２は被覆部２を収納部３の主面側に倒された状態で、上方に膨らむ形状を有し、底面（収納部３側の面）に凹部１３を有している。図１０に示すように、被覆部２を収納部３の主面側に倒すと、被覆部２の周縁部が収納部３の主面の周縁部に当接し、これにより塗布材収容部４の第１面および化粧用塗布材３０が被覆部２により覆われる。ここで、塗布材収容部４と収納部３との間の空間である凹部１１内は、孔部１５を介して外気と繋がっている。このため、塗布材収容部４と収納部３との間の当該空間と、塗布材収容部４と被覆部２との間の空間とが繋がっていると、孔部１５から侵入した外気により化粧用塗布材３０が乾燥してしまう虞がある。
【００３７】
ここで、塗布材収容部４の周縁部４３は、収納部３の凹部１１の表面（内壁）に当接しており、これにより、塗布材収容部４と収納部３との間の空間と、塗布材収容部４と被覆部２との間の空間との間で空気が移動することを防ぐことができる。つまり、周縁部４３は、孔部１５から収納部３内に侵入した外気により化粧用塗布材３０が乾燥することを防ぐ役割を有している。このように、塗布材収容部４と被覆部２との間の空間は、塗布材収容部４の周縁部４３と収納部３との当接、および、被覆部２の周縁部と収納部３の主面の周縁部との当接により、閉じられた空間となるため、化粧用塗布材３０の乾燥および劣化を防止または抑制することができる。よって、化粧用塗布材３０をアクセサリー玩具１内に収納して持ち歩くなどしても、化粧用塗布材３０を長期間に亘り使用できる。
【００３８】
また、図３および図１０に示すように、Ｚ方向において、被係止部４１の下方の終端部は、一対の当接部Ｇ３、Ｇ４のそれぞれの下端と同じ高さに位置するか、または、一対の当接部Ｇ３、Ｇ４のそれぞれの下端よりも上方、つまり第１面側に位置する。したがって、収納部３内から取り外した塗布材収容部４を単体で平坦な載置部に載置したときに、Ｙ方向に延在する一対の当接部Ｇ３、Ｇ４の下端が載置部の上面に当接するため、塗布材収容部４を安定して載置できる。被係止部４１の下方の終端部が、一対の当接部Ｇ３、Ｇ４のそれぞれの下端と同じ高さに位置する場合には、特に塗布材収容部４を載置した際の安定性が高くなる。アクセサリー玩具１は、内部に収納する塗布材収容部４を種々交換可能なものであり、複数の塗布材収容部４を収集することが考えられる。アクセサリー玩具１内に収納しない塗布材収容部４は、上記理由により、箱（ケース）などの中に安定して載置することができる。
【００３９】
また、図１に示すように、塗布材収容部４の第１面には、塗布材収容部４を収納部３に収納（装着）した状態で視認可能な位置に、化粧用塗布材を塗布する身体の位置を示す表示が設けられている。例えば、ここでは塗布材収容部４の第１面に「ＥＹＥ」の文字が表示されており、化粧用塗布材がアイシャドウなど目の周囲に使用されるものであることが判別できる。これにより、誤った塗布材収容部４を収納部３に装着すること、および、化粧用塗布材の誤用を防ぐことができる。
【００４０】
また、使用者の爪が短い場合、または、使用者の力が弱い場合などには、塗布材収容部４を収納部３から取り外す際、爪や指などを、凸部４２と凹部２２との間に入れて凸部４２に引っ掛けて塗布材収容部４を取り外すことが困難である場合が考えられる。これに対し、本実施の形態では、図１０に示すように、ベルトＢ１は可撓性を有する軟質材料から成り、かつ、塗布材収容部４の直下を他の部材に遮られることなく収納部３に挿入されている。したがって、図１１に示すように、Ｙ方向における収納部３の両端のそれぞれから外部に露出するベルトＢ１を摘み、収納部３の内側に向かって押しこむようにベルトＢ１に対して力を加えることで収納部３内のベルトＢ１が撓み、塗布材収容部４を押し上げることができる。これにより係止部２１と被係止部４１との相互の係止が解除されるため、爪が短い使用者、または、力が弱い使用者であっても、塗布材収容部４を収納部３から容易に取り外すことができる。なお、図１１では被覆部２の図示を省略している。
【００４１】
以上に述べたように、本実施の形態のアクセサリー玩具１は、収納部３および被覆部２から成る容器内に、化粧用塗布材を収容した塗布材収容部４を着脱可能に収納でき、各種の塗布材収容部４を使用者の好みに合わせて交換可能なものであり、ベルトＢ１のような身体装着部を介して身に着けて楽しむことができるものである。よって、本実施の形態によれば、アクセサリー玩具の興趣性を向上できる。
【００４２】
＜変形例１＞
上記実施の形態では、ベルトを用いてアクセサリー玩具をブレスレットのように身体に装着する場合について説明したが、身体装着部はベルトに限らず鎖などでもよく、アクセサリー玩具をネックレスのように身体に装着してもよい。
【００４３】
図１２に示すように、ここでは収納部３にベルトは挿入せず、第１被取付部１６の孔部１７に鎖（身体装着部）Ｃ１を通している。鎖Ｃ１は図８および図９を用いて説明したベルトＢ１に比べて長く、使用者の首に引っ掛けることが可能である。このように、第１被取付部１６の孔部１７に鎖Ｃ１を通し、鎖Ｃ１を介してアクセサリー玩具１を使用者の首から下げてネックレスのように身体に装着することができる。
【００４４】
また、図１３に示すように、鎖Ｃ１の代わりに帯Ｂ２を身体装着部として第１被取付部１６の孔部１７に通してもよい。また、図示はしないが、第１被取付部１６の孔部１７に通す身体装着部は紐でもよい。また、図示はしないが、第１被取付部１６の孔部１７に通す身体装着部は、キーホルダーの鎖や金具のような短いものであってもよい。
【００４５】
ここでは、第１被取付部１６が収納部３と一体となっている場合について説明したが、第１被取付部１６は被覆部２に設けられていてもよい。
【００４６】
＜変形例２＞
図１４に、図１に示した塗布材収容部４とは異なる塗布材収容部４ａを収納したアクセサリー玩具１を示す。図１４に示すように、塗布材収容部４ａの第１面に設けられた凹部１２ａの平面視における形状は、星型であってもよく、その他様々な形状であってもよい。
【００４７】
また、塗布材収容部４ａの第１面には、塗布材収容部４ａを収納部３に収納（装着）し、凹部１２内に化粧用塗布材を収容した状態で視認可能な位置に、化粧用塗布材を塗布する身体の位置を示す表示が設けられている。ここでは、塗布材収容部４ａの第１面に「ＬＩＰ」の文字が表示されており、化粧用塗布材がリップグロスなどのように唇に塗布して使用されるものであることが判別できる。
【００４８】
以上、本願の発明を実施の形態に基づき具体的に説明したが、本願の発明は上記実施の形態に限定されるものではなく、その要旨を逸脱しない範囲で種々変更可能である。
【符号の説明】
【００４９】
１    アクセサリー玩具
２    被覆部
３    収納部
４    塗布材収容部
１１、１２、１２ａ、１３、２２    凹部
２１    係止部
４１    被係止部
Ｇ１、Ｇ２    案内板
Ｇ３、Ｇ４    当接部
【要約】
【課題】化粧用塗布材の乾燥および劣化を防止または抑制可能に収納するアクセサリー玩具を提供する。
【解決手段】第１凹部を有し、化粧用塗布材を収容する塗布材収容部４を第１凹部内に着脱可能に収納する収納部３と、収納部３の第１凹部の開口部を被覆する被覆部２と、を備え、収納部３または被覆部２は、人間の身体に装着する身体装着部を取り付け可能な被取付部を有する、アクセサリー玩具。
【選択図】図１【図１】
0006915180.tif 000002
【図２】
0006915180.tif 000003
【図３】
0006915180.tif 000004
【図４】
0006915180.tif 000005
【図５】
0006915180.tif 000006
【図６】
0006915180.tif 000007
【図７】
0006915180.tif 000008
【図８】
0006915180.tif 000009
【図９】
0006915180.tif 000010
【図１０】
0006915180.tif 000011
【図１１】
0006915180.tif 000012
【図１２】
0006915180.tif 000013
【図１３】
0006915180.tif 000014
【図１４】
0006915180.tif 000015